(57)【要約】  ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、排気口が設けられた換気風路を有し、前記循環ユニットの換気接続口に接続された換気ユニットと、外縁部が、前記天井及び循環ユニットの下側外縁部との間に間隙を有して前記循環ユニットの下面を覆うように配置された意匠パネルと、前記加熱部が配置された循環風路の下流端と前記吹出しガイドグリルの間に設けられ、周囲の空気を該吹出しグリル内へ誘引する誘引流開口と、を備える。
2012127663.tif 000002
【特許請求の範囲】
【請求項１】
ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、
排気口が設けられた換気風路を有し、前記循環ユニットの換気接続口に接続された換気ユニットと、
外縁部が、前記天井及び循環ユニットの下側外縁部との間に間隙を有して前記循環ユニットの下面を覆うように配置された意匠パネルと、
前記加熱部が配置された循環風路の下流端と前記吹出しガイドグリルの間に設けられ、周囲の空気を該吹出しグリル内へ誘引する誘引流開口と、
を備えることを特徴とする浴室乾燥機。
【請求項２】
前記吹出しガイドグリルは、風路面積が、前記循環風路の加熱部が配置された下流端の風路面積より大きく、かつ、下流側ほど風路面積が減少することを特徴とする請求項１に記載の浴室乾燥機。
【請求項３】
前記誘引流開口は、前記循環風路の下流端の空気吹出方向に対して垂直方向を向いていることを特徴とする請求項１に記載の浴室乾燥機。
【請求項４】
前記循環ユニットの底板と前記意匠パネルとの間の空間を、前記循環吸込口側と吹出しガイドグリル側とに分離する仕切板を、前記底板に設けたことを特徴とする請求項１に記載の浴室乾燥機。
【請求項５】
前記意匠パネルは、平板状に形成されていることを特徴とする請求項１に記載の浴室乾燥機。
【請求項６】
前記換気ユニットの換気風路には、浴室以外の他室から空気を吸込む複数の他室吸込口が設けられ、内部に換気送風機が配置されていることを特徴とする請求項１に記載の浴室乾燥機。
【発明の詳細な説明】
【技術分野】
【０００１】
本発明は、浴室の天井に設置され、浴室を換気、乾燥、暖房する浴室乾燥機に関する。
【背景技術】
【０００２】
従来、浴室の空気を換気、乾燥、暖房する浴室乾燥機に関して、多くの提案がなされている。浴室乾燥機は、浴室の天井若しくは側壁上部に設置され、その浴室側は、意匠性及び安全性の向上のためにパネルで覆われている。パネルと浴室乾燥機本体との間の間隙には、浴室の湿気が滞留し易く、カビが発生し易い。そのため、パネル裏のカビ抑制に関しても、種々の提案がなされている。また、空気吹出口の周辺のカビ対策としては、周辺空気の循環を改善する必要があるが、このような空気吹出口の空気循環の改善についても、いくつか提案されている。【０００３】
多室用の浴室乾燥機は、浴室を換気、乾燥、暖房する機能と、他室を換気する機能との２つの機能を有し、夫々の機能を独立に動作させる場合には、少なくとも２つの風路が必要となる。そのため、多室用の浴室乾燥機は、浴室のみの１室用の浴室乾燥機と比べて大形となり、設置施工性、メンテナンス性が悪い。多室用の浴室乾燥機についても、設置施工性、メンテナンス性の改善のために、種々の提案がなされている。【０００４】
例えば、特許文献１で提案されている浴室用換気暖房機は、本体開口に向かい合う位置にある下面を有し、この下面側から下面外周枠より内側で天井に向かって突出して前記下面と天井面との間を塞ぐように四角枠状に形成されるルーバー枠に吸込口を設け、この吸込口より浴室内空気を吸込むようにしている。この吸込口を設けることにより、ルーバー枠と天井との間に形成される空間に空気が滞留しないようにすると共に、気流によってルーバー枠の内部空間が乾燥され、カビ発生を抑えることができる。また、ルーバー枠の吸込口から空気を吸込むことにより、浴室中央部へ吹出された空気は、床面にあたり浴室壁面に沿って上昇し、天井に沿って流れて吸込口に吸込まれる循環流となり、浴室空気の循環が改善される。【０００５】
また、特許文献２で提案されているサウナ装置は、制御装置により運転開始時の送風機の風量を増加させ、浴室空気の循環性を高めて温度分布を均一化し、効率的な加湿を行うと共に、吹出口への結露水付着を抑制している。さらに、ルーバーを設けた吹出口の風路側面に開口を設け、誘引流により風量を増加させている。誘引流により、吹出口周辺の空気を吸込み、吹出口周辺の空気の積極的な循環を促すと共に、風量増加により性能を向上させている。【０００６】
また、特許文献３で提案されている空気循環装置は、電動ファンから吹出された空気が通る配管先端部にノズルを設け、ノズル先端部に間隙を置いてベンチュリーを設けることにより、風量増加と空調空間の空気循環の改善を図っている。
【先行技術文献】
【特許文献】
【０００７】
【特許文献１】特許第４４３２６５４号公報
【特許文献２】特許第４３６７０４７号公報
【特許文献３】特許第４２９３３２５号公報
【発明の概要】
【発明が解決しようとする課題】
【０００８】
しかしながら、特許文献１で提案されている浴室乾燥機は、方形のルーバー枠の対向する２側面のみを開口しているので、他の側面に近い内部空間では、空気が滞留しやすい、という問題がある。また、ルーバー枠内の吹出口周辺の内部空間でも、吹出口を形成するための風路が配置されていて、空気が滞留すると考えられる。また、ルーバー下面が曲面となっていて、清掃性が悪い、という問題がある。さらに、浴室全体の空気の循環性については、ルーバー枠の開口面が対向する２側面のみであるため、開口していない側面の周囲の空気の循環性が悪い、という問題がある。【０００９】
また、特許文献２に記載されたサウナ装置は、制御装置により送風機を制御して風量を増加させるので、騒音が大きくなる、という問題がある。また、誘引流を利用するものでは、吹出口の枠のうち、送風機の吸込口がある側の側面には、空気のショートサーキットが発生するため、開口を設けることができず、その側面の周囲の空気の循環性を改善するできないことと、得られる誘引流が少ない、という問題がある。【００１０】
特許文献３に記載された空気循環装置は、誘引流を発生させるためにノズルを設けており、空気吹出し部にノズル設置のための大きな空間が必要となる。また、ノズル設置のためにコストが増加する、という問題がある。【００１１】
本発明は、上記に鑑みてなされたものであり、意匠パネルの裏側と循環ユニットの底板に発生するカビを抑制することができ、小形、低騒音で吹出し風量を増加させることができ、浴室空気の循環性を向上して、浴室床面の温度分布を改善し、乾燥ムラを改善することができる浴室乾燥機を得ることを目的とする。
【課題を解決するための手段】
【００１２】
上述した課題を解決し、目的を達成するために、本発明は、ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、排気口が設けられた換気風路を有し、前記循環ユニットの換気接続口に接続された換気ユニットと、外縁部が、前記天井及び循環ユニットの下側外縁部との間に間隙を有して前記循環ユニットの下面を覆うように配置された意匠パネルと、前記加熱部が配置された循環風路の下流端と前記吹出しガイドグリルの間に設けられ、周囲の空気を該吹出しグリル内へ誘引する誘引流開口と、を備えることを特徴とする。
【発明の効果】
【００１３】
本発明の浴室乾燥機は、浴室空気の循環吸込口を含む循環ユニットの下面を、間隙を隔てて意匠パネルで覆ったので、意匠パネルの裏側の隙間空間の空気が循環吸込口から吸込まれ、意匠パネル裏側の空気の滞留が低減される。また、吸込み気流により、意匠パネル裏側及び循環ユニットの底板が乾燥され、カビの発生を抑制することができる。また、吹出しグリル内へ誘引される誘引流により、吹出しグリルの周辺も空気の循環を促進し、カビの発生を抑制することができる。【００１４】
また、意匠パネルの外縁部全周から浴室空気を吸込むので、浴室空気の循環性が良く、誘引流を利用して低騒音で吹出し風量を増加させ、浴室床面温度分布と浴室の乾燥ムラを改善している。
【図面の簡単な説明】
【００１５】
【図１】図１は、本発明に係る浴室乾燥機の実施の形態１を示す断面図である。
【図２】図２は、ダンパーの回転位置を換気位置としたときの循環風路の下流側を示す断面図である。
【図３】図３は、ダンパーの回転位置を乾燥、涼風位置としたときの循環風路の下流側を示す断面図である。
【図４】図４は、ダンパーの回転位置を風乾燥位置としたときの循環風路の下流側を示す断面図である。
【図５】図５は、ダンパーの回転位置を暖房位置としたときの循環風路の下流側を示す断面図である。
【図６】図６は、実施の形態１の吹出しガイドグリルを示す斜視図である。
【図７】図７は、実施の形態１のダンパーの駆動部を示す断面図である。
【図８】図８は、実施の形態１の浴室乾燥機の風路の空気の流れ示す断面図である。
【図９】図９は、実施の形態１の浴室乾燥機の吹出しガイドグリルの周囲の空気の流れを示す断面図である。
【図１０】図１０は、本発明に係る浴室乾燥機の実施の形態２を示す断面図である。
【図１１】図１１は、実施の形態２の浴室乾燥機の上面図である。
【発明を実施するための形態】
【００１６】
実施の形態の浴室乾燥機は、換気、乾燥、涼風、風乾燥及び暖房の５つの運転モードを有し、リモートコントローラにより運転モードを切替えることができる。また、多室用の浴室乾燥機では、上記の運転と同時に、浴室とは別の他室の換気を行うことができる。
【００１７】
換気運転では、１室用の浴室乾燥機の場合は、循環送風機を運転して浴室の空気を外部へ排気する。多室用の浴室乾燥機の場合は、換気送風機を運転して、浴室と他室の両方の空気を外部へ排気する。
【００１８】
乾燥運転では、循環送風機を運転して浴室から吸込んだ空気を、ダンパーにより循環側と換気側に分流し、循環側に分流された空気を、加熱部で加熱して浴室内に温風送風すると共に、換気側に分流された浴室の空気を外部へ排気して浴室内の乾燥を行う。このとき、換気風量よりも循環風量の方が多くなるように、ダンパーの開度を調整する。多室用の浴室乾燥機の場合は、換気送風機を運転して、浴室と他室の両方の空気を外部へ排気する。
【００１９】
涼風運転では、循環送風機を運転して浴室から吸込んだ空気を、ダンパーにより循環側と換気側に分流し、循環側に分流された空気を浴室内に送風すると共に、換気側に分流された浴室の空気を外部へ排気して排熱を行う。涼風運転では、加熱部での加熱を行わず、循環空気は、常温のまま浴室内へ送風される。このとき、換気風量よりも循環風量の方が多くなるように、ダンパーの開度を調整する。多室用の浴室乾燥機の場合は、換気送風機を運転して、浴室と他室の両方の空気を外部へ排気する。
【００２０】
風乾燥運転では、循環送風機を運転して浴室から吸込んだ空気を、ダンパーにより循環側と換気側に分流し、循環側に分流された空気を浴室内に送風すると共に、換気側に分流された浴室の空気を外部へ排気して浴室の乾燥を行う。このとき、循環風量よりも換気風量の方が多くなるように、ダンパーの開度を調整する。多室用の浴室乾燥機の場合は、換気送風機を運転して、浴室と他室の両方の空気を外部へ排気する。風乾燥運転は、乾燥運転とは異なり、温風を用いずに送風と換気で浴室の乾燥を行う。通常の乾燥運転に比べ乾燥時間はかかるが、省エネルギーである。
【００２１】
暖房運転では、循環送風機を運転して浴室から吸込んだ空気を、ダンパーにより循環側に流し、加熱部で加熱して浴室内へ送風し暖房を行う。１室用の浴室乾燥機の場合は、暖房時、換気機能は停止するが、多室用の浴室乾燥機の場合は、換気送風機を運転すれば他室換気を行なうことができる。
【００２２】
上記の５つの運転モードで運転するためには、循環風路内に風路を４つ形成する必要があり、ダンパーとしての回転ダンパーの回転（搖動）位置により、各風路を形成するようにした。各運転モードにおける回転ダンパーの回転位置、風路形成については、実施の形態の説明で詳細を説明する。
【００２３】
以下に、本発明に係る浴室乾燥機の実施の形態を図面に基づいて詳細に説明する。なお、この実施の形態によりこの発明が限定されるものではない。
【００２４】
実施の形態１．
図１は、本発明に係る浴室乾燥機の実施の形態１を示す断面図であり、図２は、ダンパーの回転位置を換気位置としたときの循環風路の下流側を示す断面図であり、図３は、ダンパーの回転位置を乾燥、涼風位置としたときの循環風路の下流側を示す断面図であり、図４は、ダンパーの回転位置を風乾燥位置としたときの循環風路の下流側を示す断面図であり、図５は、ダンパーの回転位置を暖房位置としたときの循環風路の下流側を示す断面図であり、図６は、実施の形態１の吹出しガイドグリルを示す斜視図であり、図７は、実施の形態１のダンパーの駆動部を示す断面図であり、図８は、実施の形態１の浴室乾燥機の風路の空気の流れ示す断面図であり、図９は、実施の形態１の浴室乾燥機の吹出しガイドグリルの周囲の空気の流れを示す断面図である。
【００２５】
図１に示すように、実施の形態１の浴室乾燥機９１は、ハウジング１６Ａ内に形成された、浴室の換気、乾燥、暖房を行うための循環風路２ａと、浴室の換気を行なうための排気ダクト接続部材２２に形成された換気風路２ｂと、を有している。換気ユニットとしての排気ダクト接続部材２２は、循環風路２ａの換気接続口９に接続されている。
【００２６】
循環風路２ａは、ハウジング１６Ａと循環オリフィス（底板）１７により形成され、下向きに浴室空気の循環吸込口４及び循環吹出口（吹出しガイドグリル）８が設けられ、下流側に上向きに換気接続口９が設けられ、内部上流側にモータＭ１により駆動される循環送風機５が配置され、内部下流側に回転ダンパー６及び加熱部７が配置されている。循環送風機５、回転ダンパー６及び加熱部７を備えた循環風路２ａを循環ユニット９１Ａと呼ぶ。
【００２７】
換気ユニットとしての排気ダクト接続部材２２は、排気方向が側方（図１の右方向）となるように換気風路２ｂが形成され、横向きに排気口２１が開口している。排気口２１に排気ダクトを接続すれば、浴室の換気を行うことができる。
【００２８】
循環吸込口４の上流側には、空気中の埃を取除くフィルター２０が配置されている。浴室乾燥機９１の下側は、意匠パネル１４で覆われている。モータＭ１の上側には、制御部１５及び電源接続部（図示せず）が配置されている。制御部１５には、通信線を介してリモートコントローラ（図示せず）が接続され、リモートコントローラは、制御部１５に対して運転指令を出力する。
【００２９】
換気接続口９は、ハウジング１６Ａの天板に設けられていて、循環風路２ａから換気接続口９を通して換気風路２ｂに空気が流れるようになっている。循環風路２ａは、ハウジング１６Ａ及び循環オリフィス（底板）１７により形成され、循環吸込口４及び換気接続口９が下向きに開口する箱状に形成されている。換気接続口９は、回転ダンパー６が開くと、換気風路２ｂに連通する。ハウジング１６Ａには、駆動モータＭ１の回転軸を通すための軸通し孔（図示せず）が設けられている。また、ハウジング１６Ａの側板には、加熱部７及び回転ダンパー６を保持する保持部材を挿入するための挿入口が設けられている。
【００３０】
循環送風機５は、片吸込式のシロッコファン送風機であり、循環吸込口４に対向するように、循環風路２ａの上流側に配置されている。循環送風機５から吹出された空気は、回転ダンパー６により、加熱部７から循環吹出口８へ流れる循環風路２ａの下流側と、換気接続口９を通る換気風路２ｂとに分流される。モータＭ１は、循環風路２ａの上側に設置されている。
【００３１】
加熱部７は、例えば、複数の発熱体を間隔をあけて配置したり、発熱体に複数の放熱フィンを設けたりして、発熱体又は放熱フィンの周囲に風路を形成し、該風路に空気を通して放熱するようにした電気ヒータや、周囲に電気絶縁体及び熱伝導体が配置された発熱体を、金属パイプの中に収めた電気ヒータ等により構成される。
【００３２】
加熱部７は、循環風路２ａの最下流に配置されている。加熱部７の過加熱を抑えるために、ＰＴＣ（Positive  Temperature  Coefficient；自己温度制御性）ヒータを用いるのがよい。ＰＴＣヒータは、所定の温度（キュリー温度）になると急激に抵抗値が上昇するＰＴＣ素子を発熱体として用いているため、自己温度制御機能を有しており、安全性に優れていると共に、温度制御が不要で低コストである。
【００３３】
循環吹出口（吹出しガイドグリル）８は、図６に示すように、矩形の縮管（縮小）する風路（風路面積が下流側ほど減少する風路）となっている。風路枠の長辺側の側板を湾曲させることにより、風路面積を縮小させている。吹出しガイドグリル８は、加熱部７が配置された循環風路２ａの下流端に間隙を開けて配置されているが、縮小される前の風路面積を、加熱部７が配置された循環風路２ａの下流端の風路面積よりも大きくしている。
【００３４】
循環風路２ａの下流端と吹出しガイドグリル８の間の間隙は、吹出しガイドグリル８の周囲の空気を吹出しガイドグリル８内へ誘引する誘引流開口３１となっている。誘引流開口３１は、循環風路２ａの下流端の空気吹出し方向に対して垂直方向を向いている。吹出しガイドグリル８の風路面積を、循環風路２ａの下流端の風路面積よりも大きくし、誘引流開口３１を、循環風路２ａの下流端の空気吹出し方向に対して垂直方向に向けることにより、ノズルを設けることなく、誘引流を効率よく発生させることができる。
【００３５】
さらに、吹出しガイドグリル８は、並列配置された羽板を有し、吹出空気を一定の方向に向けることができる。なお、羽板に回転軸を設け、調節手段により向きを調節して風向を調節してもよい。
【００３６】
回転ダンパー６は、循環風路２ａ内の循環送風機５と加熱部７との間の換気接続口９の下側に配置され、先端部及び基端部が平らで中間部が湾曲した板状に形成されている。図７に示すように、回転ダンパー６は、基端部に設けられたダンパー回転軸２３回りに回動する。扇状歯車２４が、回転ダンパー６のダンパー回転軸２３及び側部に固定されており、扇状歯車２４を回動させることにより、回転ダンパー６を回動させることができる。
【００３７】
回転ダンパー６は、扇状歯車２４と小歯車２５を組合わせた減速機により駆動される。小歯車２５を、例えば、ステッピングモータのような駆動手段により回転させ、扇状歯車２４を介して回転ダンパー６を回動、位置決めし、循環風路２ａ及び／又は換気風路２ｂの一部を構成する。
【００３８】
回転ダンパー６は、時計回りには、ハウジング１６Ａの天板に接触して換気接続口９を閉じる位置まで、また、反時計回りには、循環オリフィス（底板）１７に接触して循環風路２ａの下流側を閉じ、循環風路２ａの上流側を換気接続口９に連通させる位置まで回動可能であり、回動可能な角度範囲（約３０°）を有している。
【００３９】
回転ダンパー６の回動位置決めは、回転ダンパー６を、時計回り若しくは反時計周りに可動角度範囲以上回動させ、回動が止まる図５若しくは図２に示す位置まで回動させて始点を決めた後、図３若しくは図４に示す、循環風路２ａの上流側を循環風路２ａの下流側及び換気接続口９の両方に連通させる位置まで、回転ダンパー６を回動させる位置決め制御により行う。
【００４０】
意匠パネル１４は、ハウジング１６Ａの浴室内露出部を覆うように、ハウジング１６Ａ又は天井に取付けられる。意匠パネル１４は、フラットに形成されていて、天井面及び循環ユニット９１Ａの下側外縁部と、意匠パネル１４の外周上向き側壁との間に間隙を開けて取付け、意匠パネル１４全周に亘る間隙から浴室空気を吸込む。意匠パネル１４を平板状に形成することにより、意匠パネル表面の清掃がし易い。
【００４１】
制御部１５は、所定の制御プログラムが格納された記憶素子を備え、リモートコントローラから入力された運転指令に応じて、循環送風機５、加熱部７及び回転ダンパー６を夫々個別に制御し、浴室乾燥機９１に換気運転、乾燥運転等を行わせる。
【００４２】
以上説明したように、実施の形態１の浴室乾燥機９１は、回転ダンパー６を基端部に設けられたダンパー回転軸２３による片側支持とし、回動角度を小さくすることにより、循環風路２ａの高さを抑えることができ、浴室乾燥機９１をコンパクト化、軽量化することができる。また、回転角度範囲の中間位置で位置決め、保持することができ、循環風量と換気風量を調節することができる。
【００４３】
次に、図２〜図５を参照して、実施の形態１の浴室乾燥機９１の換気運転、乾燥運転、涼風運転、風乾燥運転及び暖房運転について説明する。図２に示すように、換気運転では、回転ダンパー６の先端が循環オリフィス（底板）１７に接触する位置まで反時計回りに搖動し、位置決めされ、循環風路２ａの加熱部７側（下流側）が塞がれ、換気接続口９を通して換気風路２ｂへ循環風路２ａが繋がる。
【００４４】
浴室乾燥機９１が設置されている浴室の空気は、循環吸込口４を通って換気風路２ｂ内を流れ、排気口２１から外部へ排気され、浴室が換気される。
【００４５】
乾燥運転では、図３に示すように、回転ダンパー６の先端は、ハウジング１６Ａの天板にも循環オリフィス（底板）１７にも接触せず、ハウジング１６Ａの天板と循環オリフィス（底板）１７の中間位置からハウジング１６Ａの天板に近い位置に位置決めされる。それ故、換気接続口９から換気風路２ｂ、加熱部７が配置された循環風路２ａの下流側、の両方の風路へ空気が流入可能となる。同時に、加熱部７は通電される。
【００４６】
乾燥運転では、循環送風機５から吹出されて循環風路２ａに流入した浴室空気は、加熱部７を通って、循環吹出口８から浴室内に吹出されると共に、一部が、換気接続口９を通って換気風路２ｂへ流入し、排気口２１から外部へ排気される。乾燥運転では、浴室内へ温風を吹出しながら換気を行なって、浴室や衣類を乾燥することができ、浴室乾燥機９１を温風乾燥機として機能させることができる。
【００４７】
涼風運転では、図３に示すように、回転ダンパー６の先端は、ハウジング１６Ａの天板にも循環オリフィス（底板）１７にも接触せず、ハウジング１６Ａの天板と循環オリフィス（底板）１７の中間位置からハウジング１６Ａの天板に近い位置に位置決めされる。その結果、換気接続口９から換気風路２ｂ、加熱部７が配置された循環風路２ａの下流、の両方の風路へ空気が流入可能となる。同時に、循環送風機５が運転開始され、乾燥運転と異なり、加熱部７は通電されない。
【００４８】
涼風運転では、循環送風機５から吹出されて循環風路２ａに流入した浴室空気は、循環吹出口８から浴室内に吹出されると共に、一部が換気接続口９から換気風路２ｂへ流入し、排気口２１から外部へ排気される。涼風運転では、浴室内へ送風しながら換気を行い、浴室の排熱を行うことができる。
【００４９】
風乾燥運転では、図４に示すように、回転ダンパー６の先端は、ハウジング１６Ａの天板にも循環オリフィス（底板）１７にも接触せず、ハウジング１６Ａの天板と循環オリフィス（底板）１７の中間位置から循環オリフィス（底板）１７に近い位置に位置決めされる。それ故、換気接続口９から換気風路２ｂ、加熱部７が配置された循環風路２ａの下流、の両方の風路へ空気が流入可能となる。同時に、循環送風機５が運転開始され、乾燥運転と異なり、加熱部７は通電されない。
【００５０】
風乾燥運転では、循環送風機５から循環風路２ａに流入した浴室内空気は、加熱部７を通って循環吹出口８から浴室内に吹出されると共に、一部が換気接続口９から換気風路２ｂへ流入し、排気口２１から外部へ排気される。風乾燥運転では、乾燥運転とは異なり、加熱部７は通電されないので、浴室内空気温度のまま、浴室内へ空気が吹出される。浴室に常温の風を送風すると共に、換気を行って浴室や衣類を乾燥する。風乾燥運転は、乾燥運転に比べて乾燥速度は遅いが、加熱部７は通電されないので、小さな消費電力で浴室内の乾燥を行うことができる。
【００５１】
暖房運転では、図５に示すように、回転ダンパー６を、ハウジング１６Ａの天板に接触する位置まで回動させて換気接続口９を塞ぎ、循環吹出口８へ続く循環風路２ａの下流のみに空気が流入可能となる。同時に、循環送風機５が運転開始され、加熱部７は通電される。
【００５２】
暖房運転では、循環送風機５から吹出されて循環風路２ａに流入した浴室空気は、加熱部７を通って浴室内に吹出される。加熱部７を通る空気は加熱され、温風として浴室内へ吹出され、浴室内の暖房を行うことができる。
【００５３】
次に、実施の形態１の浴室乾燥機９１の吸込空気の流れについて説明する。図１及び図８に示すように、意匠パネル１４は、天井及び循環ユニット９１Ａの下側外縁部との間に間隙３０を有して循環ユニット９１Ａの下面を覆うように配置されており、浴室の空気は、循環送風機５に吸引され、間隙３０から、意匠パネル１４と循環オリフィス（底板）１７との間の隙間空間３３に流入する。隙間空間３３に流入した浴室の空気は、循環吸込口４から循環送風機５に吸込まれて循環風路２ａ内へ吹出され、各運転モードにおける回転ダンパー６の回動位置により、循環風路２ａの下流及び／又は換気風路２ｂへ流入する。間隙３０は、意匠パネル１４の全周に亘って設けられており、全周から浴室の空気を吸込むことができる。そのため、意匠パネル１４の背面及び底板１７を風の流れによって乾燥させ、意匠パネル１４背面及び底板１７のカビの発生を防ぐことができる。
【００５４】
次に、図９を参照して、乾燥運転時、涼風運転時、風乾燥運転時及び暖房運転時の誘引流について説明する。循環送風機５から吹出された空気は、加熱部７を通過するときに速度を上げ、吹出しガイドグリル８を通って浴室内へ送風される。このとき発生する誘引流は、間隙３０から吸込まれ、意匠パネル１４と循環オリフィス（底板）１７との間の隙間空間３３へ流入し、誘引流開口３１から吹出しガイドグリル８の風路内に流入し、加熱部７を通ってきた空気とともに浴室内へ送風される。
【００５５】
また、隙間空間３３を循環吸込口４側と吹出しガイドグリル８側とに分離する仕切板３２を、循環オリフィス（底板）１７に設けているので、吹出しガイドグリル８の誘引流開口３１から循環吸込口４側へ空気が流れることがなく、効率良く誘引流を吹出しガイドグリル８内に吸込むことができる。誘引流の発生により、吹出しガイドグリル８の周囲に風が流れるため、意匠パネル１４の背面の吹出しガイドグリル８の周囲のカビの発生を抑制することができる。
【００５６】
また、誘引流により浴室内への送風量が増加するため、暖房運転時の浴室床面温度分布が改善される。また、風量増加により、乾燥、風乾燥運転時の浴室内の乾燥ムラも改善される。また、意匠パネル１４は、天井との間に全周に亘る間隙３０を有しているので、天井面の空気の循環が良く、天井面の乾燥性が高い。
【００５７】
実施の形態２．
図１０は、本発明に係る浴室乾燥機の実施の形態２を示す断面図であり、図１１は、実施の形態２の浴室乾燥機の上面図である。図１０に示すように、実施の形態２の浴室乾燥機９２が、実施の形態１の浴室乾燥機９１と異なるところは、排気ダクト接続部材２２の替わりに、換気ユニット９２Ｂが用いられ、他室換気機能を有していることである。循環ユニット９１Ａと換気ユニット９２Ｂは、分離可能である。循環ユニット９１Ａ及び意匠パネル１４は、実施の形態１の浴室乾燥機９１で説明したので、説明を省略する。
【００５８】
換気ユニット９２Ｂは、ハウジング１６Ｂを有し、ハウジング１６Ｂ内に換気風路２ｂが形成されている。換気風路２ｂは、上流側に下向きに浴室吸入口１２ａが設けられ、下流側に横向きに排気口１３が設けられ、内部に、モータＭ２により駆動される換気送風機（シロッコファン）１１が配置されている。また、換気送風機１１の上流側には、換気吸込口１０が設けられた換気オリフィス１８が配置されている。浴室吸込口１２ａと換気オリフィス１８の間のスペースは、換気チャンバー１２となっている。換気チャンバー１２には、他室吸込口１２ｂが開口している。
【００５９】
実施の形態２の浴室乾燥機９２は、実施の形態１の浴室乾燥機９１と同様に、換気運転、乾燥運転、風乾燥運転、暖房運転及び涼風運転を行うことが可能である。換気運転、乾燥運転、涼風運転及び風乾燥運転では、循環風路２ａが換気風路２ｂに繋がると共に、換気送風機１１が運転開始される。その結果、浴室乾燥機９２が設置されている浴室の空気は、循環吸込口４を通って循環風路２ａ内を流れ、回転ダンパー６により換気接続口９へと導かれ、換気風路２ｂの浴室吸込口１２ａを通って換気チャンバー１２へ吸込まれる。また、浴室以外の他室の空気も他室吸込口１２ｂから換気チャンバー１２へ吸込まれ、浴室空気と他室空気は、換気吸込口１０から換気送風機１１に吸込まれ、排気口１３から排気される。これにより、浴室及び他室が換気される。
【００６０】
次に、図１０及び図１１を参照して、浴室乾燥機９２の多室換気機能について説明する。図１１に示すように、換気風路２ｂには、他室吸込口１２ｂが複数個（３個）設けられている。夫々の他室吸込口１２ｂに、洗面所、トイレ等の他室からの排気用ダクトを接続し、換気送風機１１を動作させれば、他室の換気を行うことができる。使用しない接続口は、閉塞することができ、換気を行う室数を、任意に選択可能である。
【００６１】
排気接続口９を、換気チャンバー１２の浴室吸込口１２ａに連通させると共に、排気口１３の下方に配置するのは、循環送風機５と換気送風機１１を同時に運転して循環風路２ａから換気風路２ｂへ送風する乾燥運転、風乾燥運転及び涼風運転において、他室吸込口１２ｂへ空気が逆流するのを防ぐためである。他室吸込口１２ｂへの空気の逆流を確実に防止するために、他室吸込口１２ｂに逆流防止ダンパーを設けてもよい。また、循環送風機５が換気風路２ｂへ送り込む風量よりも換気送風機１１の吸込み風量が大きくなるように、両送風機の風量制御を行なう。
【００６２】
換気ダクトから他室吸込口１２ｂを通って換気チャンバー１２へ流入した他室空気は、換気吸込口１０を通り、換気送風機１１に吸込まれて、外部へと排気される。浴室乾燥機９２が停止のときは、図５に示すように、回転ダンパー６を換気接続口９を塞ぐ位置にすれば、他室のみを換気することが可能である。
【産業上の利用可能性】
【００６３】
以上のように、本発明にかかる浴室乾燥機は、浴室の換気、乾燥、暖房を行う、家庭用又は業務用の浴室乾燥機として有用である。
【符号の説明】
【００６４】
２ａ  循環風路
２ｂ  換気風路
４  循環吸込口
５  循環送風機
６  回転ダンパー
７  加熱部
８  循環吹出口（吹出しガイドグリル）
９  換気接続口
１０  換気吸込口
１１  換気送風機
１２  換気チャンバー
１２ａ  浴室吸込口
１２ｂ  他室吸込口
１３  排気口
１４  意匠パネル
１５  制御部
１６Ａ、１６Ｂ  ハウジング
１７  循環オリフィス（底板）
１８  換気オリフィス
２０  フィルター
２１  排気口
２２  排気ダクト接続部材（換気ユニット）
２３  ダンパー回転軸
２４  扇状歯車
２５  小歯車
３０  間隙
３１  誘引流開口
３２  仕切板
３３  隙間空間
Ｍ１、Ｍ２  モータ
９１、９２  浴室乾燥機
９１Ａ  循環ユニット
９２Ｂ  換気ユニット
【図１】
2012127663.tif 000003
【図２】
2012127663.tif 000004
【図３】
2012127663.tif 000005
【図４】
2012127663.tif 000006
【図５】
2012127663.tif 000007
【図６】
2012127663.tif 000008
【図７】
2012127663.tif 000009
【図８】
2012127663.tif 000010
【図９】
2012127663.tif 000011
【図１０】
2012127663.tif 000012
【図１１】
2012127663.tif 000013
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、
排気口が設けられた換気風路を有し、前記循環ユニットの換気接続口に接続された換気ユニットと、
外縁部が、前記天井及び循環ユニットの下側外縁部との間に間隙を有して前記循環ユニットの下面を覆うように配置された意匠パネルと、
前記加熱部が配置された循環風路の下流端と前記吹出しガイドグリルの間に設けられ、周囲の空気を該吹出しグリル内へ誘引する誘引流開口と、
を備え、
前記循環ユニットの底板と前記意匠パネルとの間の空間を、前記循環吸込口側と吹出しガイドグリル側とに分離する仕切板を、前記底板に設けたことを特徴とする浴室乾燥機。
【請求項２】
前記吹出しガイドグリルは、風路面積が、前記循環風路の加熱部が配置された下流端の風路面積より大きく、かつ、下流側ほど風路面積が減少することを特徴とする請求項１に記載の浴室乾燥機。
【請求項３】
前記誘引流開口は、前記循環風路の下流端の空気吹出方向に対して垂直方向を向いていることを特徴とする請求項１に記載の浴室乾燥機。
【請求項４】
前記意匠パネルは、平板状に形成されていることを特徴とする請求項１に記載の浴室乾燥機。
【請求項５】
前記換気ユニットの換気風路には、浴室以外の他室から空気を吸込む複数の他室吸込口が設けられ、内部に換気送風機が配置されていることを特徴とする請求項１に記載の浴室乾燥機。
【手続補正２】
【補正対象書類名】明細書
【補正対象項目名】００１２
【補正方法】変更
【補正の内容】
【００１２】
上述した課題を解決し、目的を達成するために、本発明は、ハウジングと底板により形成され、下向きに循環吸込口及び吹出しガイドグリルが設けられ、上向きに換気接続口が設けられ、内部に、循環送風機、前記換気接続口を開閉するダンパー及び加熱部が配置された循環風路を有し、浴室の天井に設置される循環ユニットと、排気口が設けられた換気風路を有し、前記循環ユニットの換気接続口に接続された換気ユニットと、外縁部が、前記天井及び循環ユニットの下側外縁部との間に間隙を有して前記循環ユニットの下面を覆うように配置された意匠パネルと、前記加熱部が配置された循環風路の下流端と前記吹出しガイドグリルの間に設けられ、周囲の空気を該吹出しグリル内へ誘引する誘引流開口と、を備え、前記循環ユニットの底板と前記意匠パネルとの間の空間を、前記循環吸込口側と吹出しガイドグリル側とに分離する仕切板を、前記底板に設けたことを特徴とする。
【国際調査報告】
2012127663.tif 000014
2012127663.tif 000015
2012127663.tif 000016
2012127663.tif 000017